(57)【要約】      （修正有）【課題】パネル材の目地部における水密性及び気密性を確保すると共に、作業性を向上させつつ、材料コスト及び施工コストを低く抑える事が可能な建築用機構ガスケットの提供。【解決手段】パネル材１の屋外側縁部を支持する外ガスケットと、前記パネル材１の室内側縁部を支持する内ガスケットとが組み合って前記パネル材１の縁部が嵌る嵌入溝を構成し、前記外ガスケット２及び内ガスケット３に各々金属製の骨板を室外側に露出しない様に埋設する共に、当該外ガスケット及び内ガスケットの室内側から露出する骨板５に、当該外ガスケット２と内ガスケット３とを組み合った状態に保持する締結部６を設けた建築用構造ガスケット。【選択図】図１（Ａ）（Ｂ）（Ｃ）
2005155179.tif 000002
【特許請求の範囲】
【請求項１】
パネル材（１）の屋外側縁部を支持する外ガスケット（２）と、前記パネル材（１）の室内側縁部を支持する内ガスケット（３）とが組み合って前記パネル材（１）の縁部が嵌る嵌入溝（４）を構成し、前記外ガスケット（２）及び内ガスケット（３）に各々金属製の骨板（５）を室外側に露出しない様に埋設する共に、当該外ガスケット（２）及び内ガスケット（３）の室内側から露出する骨板（５）に、当該外ガスケット（２）と内ガスケット（３）とを組み合った状態に保持する締結部（６）を設けた建築用構造ガスケット。
【請求項２】
開口部（７）を互いに相反する方向へ向けた一対の前記嵌入溝（４，４）を備える前記請求項１に記載の建築用構造ガスケット。
【請求項３】
前記外ガスケット（２）及び内ガスケット（３）の室内側から露出する骨板（５）に、建築物本体（８）に固定する為の定着部（９）を設けた前記請求項１又は請求項２のいずれかに記載の建築用構造ガスケット。
【発明の詳細な説明】
【技術分野】
【０００１】
本発明は、建築物においてガラスや外壁材等のパネル材を支持・固定するための建築用構造ガスケットに関する。
【背景技術】
【０００２】
建築用構造ガスケットは、従来より、パネル材の縁部を嵌め入れる嵌込溝を備えたガスケット本体２７と、前記嵌入溝２８を挟む一対の挟持壁２１，２１にパネル材２２の縁部に対する挟持力を与え且つ保持する為のジッパー２３とからなるもの（所謂ジッパーガスケット）が知られている（たとえば、後記特許文献１及び図４参照）。この様なジッパーガスケットは、建築物に固着されているＰＣ板２４に凹部２６を設け、当該凹部２６へジッパーガスケットのアンカー部２５を挿入し、最後にジッパー２３を装填することによって取付が終了する。なかには、建築物の外観の美観を高める等の目的で、ガスケット本体の一部が建築物のコンクリート部の側面から迫り出した形状に成形されたものも紹介されている（たとえば、後記特許文献２参照）。
【特許文献１】特開２００２−４７８６６号公報
【特許文献２】特開平１０−２６６７１６号公報
【発明の開示】
【発明が解決しようとする課題】
【０００３】
しかしながら、ジッパーガスケットは、ゴムという柔軟な素材を以て有効な取付強度を保持する為に比較的大きな断面積が要求されることとなることで、前記嵌入溝へのパネル材の嵌め入れが困難となることは否めず、殊に、前記特許文献２に記載のジッパーガスケットの様に、ガスケットの一部が建築物のコンクリート部側面から迫り出した形状に成形されたものについては顕著である。
【０００４】
この様な問題に対し、ジッパーおよび当該ジッパーが装填されるジッパー溝の断面積を大きくして、室内側の挟持壁を大きく倒すことで、パネル材を嵌め込み易くすることは出来るものの、ジッパー自体が大きくなる為に、前記パネル材の嵌め入れ作業に換わってジッパーの嵌め込み作業が困難となり、施工性が著しく低下することとなった。
【０００５】
本発明は、前記従来の問題を解決するためになされたもので、その目的は、ガスケットの断面積を大きくすることなく有効な取付強度を保持することができ、且つパネル材の取付作業が容易な建築用構造ガスケットを提供することにある。
【課題を解決するための手段】
【０００６】
上記課題を解決するためになされた本発明による建築用構造ガスケットは、パネル材の屋外側縁部を支持する外ガスケットと、前記パネル材の室内側縁部を支持する内ガスケットとが組み合って前記パネル材の縁部が嵌る嵌入溝を構成し、前記外ガスケット及び内ガスケットに各々金属製の骨板を室外側に露出しない様に埋設する共に、当該外ガスケット及び内ガスケットの室内側から露出する骨板に、当該外ガスケットと内ガスケットとを組み合った状態に保持する締結部を設けたことを特徴とする。前記外ガスケット及び内ガスケットの室内側から露出する骨板に、建築物本体に固定する為の定着部を設ける場合もある。
【発明の効果】
【０００７】
上記構造を持った本発明による建築用構造ガスケットによれば、ゴムという柔軟な素材を用いながらも、前記骨板の存在による補強作用で有効な取付強度を保持できる為に、ガスケットの断面積を小さく（薄く）抑えることができコストダウンにも繋がる他、前記締結部をはずすことによって、パネル材の室外側を支持する外ガスケットと、その内側を支持する内ガスケットとを分離することができるので施工性が大きく改善される。
【０００８】
また、前記特許文献２に記載のジッパーガスケットの様に、美観を高めるべく、ガスケットの一部が建築物のコンクリート部側面から迫り出した形状や、面を一にする形状に成形されたとしても、前記骨材の存在によってガスケットの断面積を大きくすることなく有効な取付強度を保持することができ、且つパネル材の取付作業が容易で施工性の良好な建築用構造ガスケットの提供に寄与する。
【発明を実施するための最良の形態】
【０００９】
以下、本発明による建築用構造ガスケット（以下、構造ガスケットと記す）の実施の形態を図面に基づき説明する。
図１に示す構造ガスケットは、第一の実施の形態を示したものであって、シリコンゴム、クロロプレンゴム、エチレンプロピレンゴム、ポリエチレン、ポリウレタン、ポリ塩化ビニル等の弾性保持力が高く耐候性の高いゴム素材から押出成形され、パネル材１の屋外側縁部を支持する外ガスケット２と、前記パネル材１の室内側縁部を支持する内ガスケット３とが組み合って前記パネル材１の縁部が嵌る嵌入溝４を構成するものである。
【００１０】
前記外ガスケット２は、前記嵌入溝４の底壁を含んで当該構造ガスケットに支持されるパネル材１に対する室内側（以下、単に室内側と記し、前記パネル材１に対する室外側を単に室外側と記す。）に至る基部１０と、当該基部１０における室外側の縁から垂直に起立し前記嵌入溝４の側壁となる挟持部１１ａとからなるＬ字状の断面を持つ。前記基部１０の端部上面には、前記嵌入溝４の底面に向かって前記挟持部１１ａの側に下る組みスロープ１２ａが形成されており、前記挟持部１１ａの端部外面には、外ガスケット２とパネル材１との間に水や埃等が溜まるのを防止すべく外向きに下がる面取りスロープ１３ａが形成されている。
【００１１】
当該外ガスケット２には、その断面形状に倣って当該断面の厚みの中間部分を通るＬ字状に屈曲したアルミ製の骨板５ａがインサートされており、当該骨板５ａは、室外側において前記基部１０及び挟持部１１ａから露出しない様に埋設される一方、当該骨板５ａの基底部１４ａは、その先部が前記基部１０の室内側端部から延出した状態で露出しビス孔１５が設けられている。
【００１２】
前記内ガスケット３は、前記外ガスケット２における挟持部１１ａに相当する部分（以下、挟持部１１ｂと記す。）のみからなり、当該挟持部１１ｂの端部外面には、前記外ガスケット２と同様に外向きに下がる面取りスロープ１３ｂが形成されており、当該挟持部１１ｂの外面には、前記外ガスケット２と組み合った際に前記組みスロープ１２ａと密着する組みスロープ１２ｂが設けられている。
【００１３】
当該内ガスケット３にも、前記外ガスケット２と同様にアルミ製の骨板５ｂがインサートされている。当該内ガスケット３の骨板は、Ｗ字状に成形されており、その片側半分が、前記嵌入溝４に面した面（以下、挟持面１６ｂと記す。）、前記組みスロープ１２ｂ、及び面取りスロープ１３ｂから露出しない様に前記挟持面１６ｂ及び組みスロープ１２ｂに倣ってＶ字状に屈曲した状態で埋設される一方、当該骨板５ｂの他方は、前記挟持面１６ｂに対して裏側に位置する面（以下、背面１７ｂと記す。）から前記組みスロープ１２ｂが面する方向へ屈曲する形で延出し、当該背面１７ｂに沿って直線的に延び、更に先の曲げ方向とは逆の方向へ直角に屈曲した状態で露出し、最終の屈曲部から延びて前記外ガスケット２と組み合った際に前記基底部１４ａと重なる領域（内ガスケットの基底部１４ｂ）にはビス孔１５ｂが設けられている。
【００１４】
前記外ガスケット２及び内ガスケット３の骨板５におけるビス孔１５が設けられた露出部は、当該ビス孔１５にボルト１８を挿通しナット締めを行うことで、当該外ガスケット２と内ガスケット３とを組み合ってパネル材１の縁部を挟持する状態に保持する締結部６として機能し、並びに、前記ビス孔１５にボルト１８を挿通し、コンクリートに埋め込まれたＰＣ板１９のネジ孔と螺合する等によって、当該構造ガスケットを建築物本体８に固定する為の定着部９として機能する。
【００１５】
図２及び図３に示す構造ガスケットは、第２の実施の形態を示したものであって、例えば、連窓等において隣接する二つのガラス板の間に介在し、二つのガラス板の縁部を一つの構造ガスケットで挟持・支持し得る構造に設計したものである。この例は、前記第１の実施の形態を二つ合体させた構成を持ち、双方の基部１０、及び外ガスケット２における骨板５ａの前記基底部１４ａを一体化した形で、開口部７を互いに相反する方向へ向けた一対の前記嵌入溝４，４を備える形としたものである。
【００１６】
前記のごとく連窓等において隣接する二つのガラス板の間に介在する形態を採るべく、当該例では、前記外ガスケット２における骨板５ａの前記基底部１４ａのうちの露出した部分と前記内ガスケット３における骨板５ｂの基底部１４ｂは、前記の如く設けられたビス孔１５にボルト１８を挿通しナット締めを行うことで、当該外ガスケット２と内ガスケット３とを組み合ってパネル材１の縁部を挟持する状態に保持する締結部６として機能するが、当該構造ガスケットを建築物本体８に固定する為の定着部９としては、コンクリートに埋め込まれたＰＣ板１９のネジ孔と螺合する等によって建築物本体８に定着されたステー２０等に設けられたビス孔、並びに前記外ガスケット２及び内ガスケット３の骨板５に設けられたビス孔１５にボルトを挿通しナット締めを行うことで機能することとなる。
する。
【００１７】
上記構造ガスケットは、ともに先ずパネル材１の縁部を支持する外ガスケット２を建築物本体８に定着し、次にパネル材１を外ガスケット２の挟持面１６ａにあてがう形で装着し、次に前記内ガスケット３を組み付けてボルト止めする等により双方を締結することで施工が完了する。
【産業上の利用可能性】
【００１８】
パネル材の目地部における水密性及び気密性を確保すると共に、作業性を向上させつつ、材料コスト及び施工コストを低く抑えることが可能となることによって高機能で低価格な構造物を短い工期で安全に建設することが可能となる。
【図面の簡単な説明】
【００１９】
【図１（Ａ）（Ｂ）（Ｃ）】本発明による構造ガスケットの一例、及びその施工態様例を示した斜視図である。
【図２（Ａ）（Ｂ）】本発明による構造ガスケットの一例、及びその施工態様例を示した斜視図である。
【図３】本発明による構造ガスケットの配設態様の一例を示した断面図である。
【図４】従来の構造ガスケットの配設態様の一例を示した断面図である。
【符号の説明】
【００２０】
１  パネル材，２  外ガスケット，３  内ガスケット，４  嵌入溝，５  骨板，
６  締結部，７  開口部，８  建築物本体，９  定着部，
１０  基部，１１  挟持部，１２  組みスロープ，１３面取りスロープ，
１４  基底部，１５  ビス孔，１６  挟持面，１７  背面，１８  ボルト，
１９  ＰＣ板，２０  ステー，
【図１（Ａ）（Ｂ）（Ｃ）】
2005155179.tif 000003
【図２（Ａ）（Ｂ）】
2005155179.tif 000004
【図３】
2005155179.tif 000005
【図４】
2005155179.tif 000006